(57)【要約】【課題】  圧力の付与状態を圧力の付与後に目視判別することのできるチップ部品を提供する。【解決手段】  端子３が設けられている端子形成面ＦＦの背面ＲＦに、圧力の付与状態を目視判別するための加圧状態判別手段４を設ける。【選択図】      図１
2006173178.tif 000002
【特許請求の範囲】
【請求項１】
端子が設けられている端子形成面の背面に付与される圧力により、前記端子が接続対象となる電子部品の電極端子に接続可能とされているチップ部品において、
前記背面に、圧力の付与状態を目視判別するための加圧状態判別手段が設けられていることを特徴とするチップ部品。
【請求項２】
前記加圧状態判別手段が、自己発色型感圧記録紙である請求項１に記載のチップ部品。
【発明の詳細な説明】
【技術分野】
【０００１】
本発明は、圧力の付与によって電子部品の端子に接続するのに好適なチップ部品に関する。
【背景技術】
【０００２】
従来から、ＩＣ、ＬＳＩ、マイクロコンピュータなどの各種の半導体装置および抵抗、コンデンサ、ＬＥＤなどのチップ化されたものがチップ部品として知られている。このようなチップ部品は、光学表示装置におけるＴＣＰ（Tape Carrier Package）、ＣＯＧ（Chip On Glass）、ＣＯＦ（Chip On Film）などを始め多種多様の製品の電子部品として用いられている。
【０００３】
また、チップ部品と電子部品との部品間の電気的な接続を導電性接合部材により行う技術が一般的に知られている。この導電性接合部材としては、フィルム状に形成されている異方性導電膜（ＡＣＦ：Anisotropic Conductive Film ）や、ペースト状に形成されている異方性導電ペーストなどの異方性導電材を挙げることができる。このような異方性導電材は、熱硬化型や紫外線硬化型などの絶縁性を具備する接着剤（バインダ）と導電粒子とにより構成されており、絶縁性を有する接着剤中に導電粒子が分散されていることにより、厚み方向（接続方向）に導電性を有し、面方向（水平方向）に絶縁性を有する電気的異方性を備えたものである。そして、異方性導電材による接続は、基本的には圧着であり、導電粒子が電気的な接続の機能を分担し、硬化した接着剤が圧接状態を保持する機能を分担するようになっている。
【０００４】
前記チップ部品と電子部品との接続について、液晶パネル、ＥＬパネル、プラズマパネルなどの光学パネルを例示して説明する。
【０００５】
従来のＣＯＧ実装方式を用いた光学パネルにおいては、例えばリア基板の一端縁がフロント基板の端縁より突出するように延出形成されており、この部分は、端子形成部とされている。そして、端子形成部のチップ部品搭載面には、透明導電膜からなる所定パターンの電極端子が形成されており、電極端子上にはドライバと称されるＬＳＩチップなどのチップ部品が搭載されている。このＬＳＩチップは、シリコンウエハーなどからなる基板の一面に所望の回路が形成されている。そして、ＬＳＩチップにおいては、回路の形成されている面が端子（バンプ）が設けられた端子形成面とされており、この端子形成面が光学パネルの端子形成部に設けられた接続対象となる電極端子と対向するように配置されている。また、光学パネルの電極端子とＬＳＩチップの端子とは、異方性導電膜によって電気的に接続されている。
【０００６】
すなわち、光学パネルの電極端子とＬＳＩチップの端子との間に異方性導電膜を介装し、ＬＳＩチップの端子形成面の背面に、圧着装置の圧着ヘッドの平坦に形成された先端面を当接させて、少なくとも圧力を付与することで、電気的な接続が行われている。
【０００７】
なお、ＬＳＩチップを電子部品としてのプリント配線板や可撓配線板などの配線板上に搭載する場合においても、ＬＳＩチップの端子と配線板の電極端子との間に異方性導電膜を介装し、ＬＳＩチップの反端子形成面に、圧着装置の圧着ヘッドを当接させて、少なくとも圧力を付与することで、電気的な接続が行われている。
【０００８】
また、他のチップ部品を各種の電子部品に搭載する場合においても、端子形成面の背面に、圧着装置の圧着ヘッドを当接させて、圧力を付与することで、チップ部品と電子部品との電気的な接続が行われている。
【０００９】
ところで、ＬＳＩチップを電子部品に実装する工程においては、圧着ヘッドの先端面によってＬＳＩチップの背面に圧力を均一に付与する必要がある。これは、ＬＳＩチップの背面に付与する圧力が不均一になった場合には、ＬＳＩチップのすべての端子を電子部品の電極端子とそれぞれ確実に接続することができない、または、電気的に不安定な接続状態となるという問題が発生するのを防止するためである。
【００１０】
そこで、ＬＳＩチップの背面に圧力を均一に付与することができるように、圧着ヘッドの先端面の平行度だしを自動的に行うことのできる圧着装置が提案されている（例えば、特許文献１参照）。
【００１１】
【特許文献１】特開２００２−２３１７６７号公報
【発明の開示】
【発明が解決しようとする課題】
【００１２】
しかしながら、従来のＬＳＩチップにおいては、圧力の付与状態を圧力の付与後に容易に判別したいという要求に応えることができないという問題点があった。
【００１３】
すなわち、ＬＳＩチップの背面に付与する圧力が不均一になるのは、圧着ヘッドの平行度だけでなく、圧着ヘッドの先端面とＬＳＩチップの背面との間に異物が存在する場合にも生じる。このように、圧着ヘッドの先端面とＬＳＩチップの背面との間に異物が存在する場合には、異物の存在箇所の圧力が局部的に高くなり、すべての端子を対応する電極端子と確実に接続することができない、または、電気的に不安定な接続状態となるという問題が発生する。
【００１４】
そこで、光学パネルを点灯検査することによって、ＬＳＩチップと光学パネルとの電気的な接続状態の確認が行われている。
【００１５】
しかしながら、圧着時における圧着ヘッドの先端面とＬＳＩチップの背面との間に存在する異物によって、ＬＳＩチップと光学パネルとが電気的に不安定な接続状態になった場合には、製造工場における点灯検査の際には光学パネルが点灯したとしても、その後、客先において断線する場合があるという客先への不具合品の流出の可能性があるという問題点があった。
【００１６】
なお、このような問題点は、ＬＳＩチップだけでなく、背面から圧力を付与して他の電子部品に接続される各種のチップ部品においても同様である。
【００１７】
そこで、圧力の付与状態を圧力の付与後に目視判別することのできるチップ部品が求められている。
【００１８】
本発明はこの点に鑑みてなされたものであり、圧力の付与状態を圧力の付与後に目視判別することのできるチップ部品を提供することを目的とする。
【課題を解決するための手段】
【００１９】
前述した目的を達成するため本発明に係るチップ部品の特徴は、端子が設けられている端子形成面の背面に付与される圧力により、前記端子が接続対象となる電子部品の電極端子に接続可能とされているチップ部品において、前記背面に、圧力の付与状態を目視判別するための加圧状態判別手段が設けられている点にある。
【００２０】
本発明に係るチップ部品においては、前記加圧状態判別手段が、自己発色型感圧記録紙であることが好ましい。
【発明の効果】
【００２１】
本発明に係るチップ部品によれば、背面に加圧状態判別手段が設けられているので、圧力の付与状態を圧力の付与後に目視判別することが容易かつ確実にできるなどの極めて優れた効果を奏する。
【発明を実施するための最良の形態】
【００２２】
以下、本発明を図面に示す実施形態により説明する。
【００２３】
図１は本発明に係るチップ部品の実施形態の要部を示す模式図である。
【００２４】
本実施形態のチップ部品は、光学パネルの端子形成部に、ＣＯＧ実装方式によって搭載されるＬＳＩチップを例示している。
【００２５】
図１に示すように、本実施形態のチップ部品としてのＬＳＩチップ１は、例えば、縦×横寸法が３×１０ｍｍで厚さが４００〜６００μｍ程度の薄い直方体状に形成されている。このＬＳＩチップ１は、シリコンウエハーなどからなる基板２を有しており、この基板２の一面たる下面には、図示しない所望の回路および回路に接続された複数の端子（バンプ）３が形成されている。そして、ＬＳＩチップ１の下面は、接続対象と対向する端子形成面ＦＦとされており、この端子形成面ＦＦの上面は、接続対象と反対側に位置する背面ＲＦとされている。
【００２６】
前記基板２の背面ＲＦには、加圧状態判別手段としての自己発色型感圧記録紙４が図示しない接着剤層によって接合されている。この自己発色型感圧記録紙４は、圧力の付与状態を圧力の付与後に目視判別するためのものであり、その圧力を受けて発色する発色面４ａを外部に露出するように上方に向けて背面ＲＦに接合されている。
【００２７】
前記自己発色型感圧記録紙４としては、感圧紙（登録商標）、具体的には、プレスケール（モノシートタイプ：富士写真フイルム株式会社製商品名）を挙げることができる。
【００２８】
なお、本実施形態のＬＳＩチップ１は、従来のＬＳＩチップの背面ＲＦに自己発色型感圧記録紙４を接合したものであり、その他の構成については、従来のＬＳＩチップと同様とされているので、その詳しい説明は省略する。
【００２９】
また、チップ部品としては、ＩＣ、ＬＳＩおよびマイクロコンピュータなどの各種の半導体装置、チップコンデンサ、チップ抵抗、ＬＥＤなどを挙げることができる。
【００３０】
ここで、本実施形態のＬＳＩチップ１と電子部品の端子との電気的な接続について説明する。
【００３１】
図２は本発明に係るチップ部品とその接続対象としての電子部品との電気的な接続工程の実施形態における圧着ヘッドによる加圧状態の要部を示す説明図である。
【００３２】
本実施形態のＬＳＩチップ１部品とその接続対象としての電子部品、例えば光学パネルＰとの電気的な接続は、従来と同様に、導電性接合部材としての熱硬化タイプの接着剤を用いた異方性導電膜Ｆが用いられている。そして、ＬＳＩチップ１と光学パネルＰとの接続は、まず、光学パネルＰの端子形成部Ｐａのチップ部品搭載面に配列されている電極端子Ｐｂの形成部分に異方性導電膜Ｆを貼り付け、さらに、その異方性導電膜ＦにＬＳＩチップ１を貼り付けて仮固定する。
【００３３】
つぎに、ＬＳＩチップ１を仮固定した光学パネルＰを、支持テーブルＴの上面に設けられた受け面Ｔａに載置し、ＬＳＩチップ１の背面ＲＦに対して、所定温度に加熱された圧着ヘッドＨの平坦に形成された先端面Ｈａを所定の圧力で押し付けることにより、光学パネルＰとＬＳＩチップ１とのそれぞれの端子３、Ｐｂの電気的な接続、すなわち、チップ部品と電子部品との部品間の電気的な接続を異方性導電膜Ｆにより行う。これにより、ＬＳＩチップ１が光学パネルＰに実装される。この圧着ヘッドＨによるＬＳＩチップ１の加圧状態を図２に示す。
【００３４】
つぎに、前述した構成からなる本実施形態の作用について説明する。
【００３５】
本実施形態のＬＳＩ１チップ１によれば、ＬＳＩチップ１の背面ＲＦに、加圧状態判別手段が設けられているので、背面ＲＦを視認するという簡便な方法で、圧力の付与状態を圧力の付与後に目視判別することが確実かつ容易にできる。
【００３６】
また、本実施形態のＩＣチップによれば、加圧状態判別手段が、自己発色型感圧記録紙４であるので、圧力の付与状態を圧力の付与後により容易に目視で判別することができる。
【００３７】
すなわち、自己発色型感圧記録紙４の発色面４ａは、圧力の高い部分がそれ以外の部分に比べて濃く発色するので、発色状態（発色した色の濃さの分布）が一様である場合には、圧力が一様に付与されたということが容易に判別できる。また、自己発色型感圧記録紙４に、部分的に濃く発色した部分がある場合には、その部分に異物が存在したものと容易に推定することができる。
【００３８】
このことは、本実施形態のＬＳＩチップ１を用いたＣＯＧ方式の光学パネルＰの製造実験により確認することができた。
【００３９】
すなわち、光学パネルＰに実装したＬＳＩチップ１の背面ＲＦを目視検査したところ、自己発色型感圧記録紙４の発色面４ａが部分的に濃く発色した製品を０．１％見いだした。この０．１％の製品をさらに詳細に解析したところ、点灯検査においては異常はないものの、ＬＳＩチップ１の端子３に部分的な圧力過多が生じているものがあることが判明した。
【００４０】
したがって、自己発色型感圧記録紙４の発色面４ａが部分的に濃く発色したものを、不具合品として容易に選別することができるので、市場に供給する製品の信頼性を格段に向上することができる。
【００４１】
また、本実施形態のＬＳＩチップ１によれば、自己発色型感圧記録紙４が圧着ヘッドＨによる加圧時の緩衝材の機能を有しているので、従来の圧着時において圧着ヘッドＨと背面ＲＦとの間に介装されるふっ素樹脂フィルムなどの緩衝シートをなくすことができるという副次的な効果を奏することができる。
【００４２】
なお、本発明は、コンデンサ、抵抗などの各種のチップ部品に適用することができる。
【００４３】
また、本発明は前記実施形態に限定されるものではなく、必要に応じて種々変更することができる。例えば、ＬＳＩチップと光学パネルとの接続を導電性接合部材を介して行ったが、導電性粒子を混入していない非導電性接合部材を用いて接続してもよい。この場合、ＬＳＩチップの端子と光学パネルの電極端子は当接していることとなる。さらに、チップ部品の背面は平坦面であることが好ましく、チップ部品の背面と圧力を付与する圧着ヘッドの先端面とは平行であることが好ましい。
【図面の簡単な説明】
【００４４】
【図１】本発明に係るチップ部品の実施形態の要部を示す模式図
【図２】本発明に係るチップ部品とその接続対象としての電子部品との電気的な接続工程の実施形態における圧着ヘッドによるチップ部品の加圧状態の要部を示す説明図
【符号の説明】
【００４５】
１  ＬＳＩチップ
３  端子
４  自己発色型感圧記録紙
ＦＦ  端子形成面
ＲＦ  背面
Ｐ  光学パネル
Ｐｂ  端子
Ｆ  異方性導電膜
【図１】
2006173178.tif 000003
【図２】
2006173178.tif 000004